(57)【特許請求の範囲】
【請求項１】
外気にさらされることで時間測定を開始した後所定時間が経過したことを表示可能な計時手段を外部から目視可能な状態で収納するとともに通気開口が設けられたハウジングを有するインジケータと、薬剤揮散装置の作動を調節するスイッチとを備えた薬剤揮散装置であって、
前記スイッチの状態に応じて前記通気開口を開閉する蓋部材を備えたことを特徴とする薬剤揮散装置。
【請求項２】
前記蓋部材が前記スイッチの動きに連動して前記通気開口を開閉することを特徴とする請求項１に記載の薬剤揮散装置。
【請求項３】
外気にさらされることで時間測定を開始した後所定時間が経過したことを表示可能な計時手段を外部から目視可能な状態で収納するとともに通気開口が設けられたハウジングを有するインジケータと、有効成分を保持した薬剤保持体と、前記薬剤保持体に気流を当てるファンと、該ファンの作動を調節するスイッチとを備えた薬剤揮散装置であって、
前記スイッチの動きに連動して前記通気開口を開閉する蓋部材を備えたことを特徴とする薬剤揮散装置。
【請求項４】
前記通気開口が前記ハウジングの上面に設けられたことを特徴とする請求項１〜３のいずれかに記載の薬剤揮散装置。
【請求項５】
前記蓋部材が前記通気開口を開いた際に、その蓋部材が前記ファンからの気流を前記通気開口へと案内することを特徴とする請求項３に記載の薬剤揮散装置。
【発明の詳細な説明】
【０００１】
【発明の属する技術分野】
本発明は、当該薬剤揮散装置に関わる特定部品の使用寿命が経過したこと等を外部に表示するためのインジケータを備えた薬剤揮散装置に関する。
【０００２】
【従来の技術】
従来、薬剤揮散装置として、スイッチ操作により薬剤の揮散を調節するものがある。
例えば、有効成分を保持した薬剤保持体を筐体内に支持し、筐体内に装備されたファンより生起する気流を前記薬剤保持体に当てて、有効成分を筐体外に揮散させるものがある。ファンは、筐体に備えられたスイッチをオンされることで作動する。
【０００３】
このような薬剤揮散装置には、インジケータが備えられたものがある。薬剤揮散装置は使用を重ねるうちに、揮散によって薬剤保持体に保持された有効成分の残量が減っていき、ついには薬剤保持体の交換等が必要となる。インジケータは、薬剤保持体を使用し始めた時から計時を開始し、その後所定時間が経過したら、計時開始から所定時間が経過したことを外部に表示する。インジケータとしては、外気にさらされることで体積が小さくなっていく昇華性物質を用いたもの等が使用されている。ユーザーは、インジケータを観察することで、薬剤保持体の交換時期を知ることができる。
【０００４】
【発明が解決しようとする課題】
上述したような薬剤揮散装置では、スイッチがオンされてファンより生起する気流が薬剤保持体に当てられた時のみに、実質的に薬剤保持体から有効成分が揮散されていく。
しかし、従来のインジケータでは、このようにスイッチのオン／オフに応じて薬剤保持体から有効成分が揮散されたりほとんど揮散されなかったりすることが考慮されていなかった。したがって、薬剤保持体の交換時期を正確に表示することができず、結果としてユーザーが、まだ使用できる薬剤保持体を交換してしまったり、使用寿命がすでに経過した薬剤保持体を使用し続けてしまったりすることがあった。特に、薬剤保持体の使用寿命が長く設定されている場合にこのようなことが起こりやすかった。
【０００５】
本発明は、上記事情に鑑みてなされたものであって、その目的は、当該薬剤揮散装置に関わる特定部品の使用寿命が経過したこと等を正確に外部に表示可能な薬剤揮散装置を提供することにある。
【０００６】
【課題を解決するための手段】
前述した本発明の目的は、下記構成によって達成することができる。
（１）  外気にさらされることで時間測定を開始した後所定時間が経過したことを表示可能な計時手段を外部から目視可能な状態で収納するとともに通気開口が設けられたハウジングを有するインジケータと、薬剤揮散装置の作動を調節するスイッチとを備えた薬剤揮散装置であって、前記スイッチの状態に応じて前記通気開口を開閉する蓋部材を備えたことを特徴とする薬剤揮散装置。
（２）  前記蓋部材が前記スイッチの動きに連動して前記通気開口を開閉することを特徴とする前記（１）に記載の薬剤揮散装置。
（３）  外気にさらされることで時間測定を開始した後所定時間が経過したことを表示可能な計時手段を外部から目視可能な状態で収納するとともに通気開口が設けられたハウジングを有するインジケータと、有効成分を保持した薬剤保持体と、前記薬剤保持体に気流を当てるファンと、該ファンの作動を調節するスイッチとを備えた薬剤揮散装置であって、前記スイッチの動きに連動して前記通気開口を開閉する蓋部材を備えたことを特徴とする薬剤揮散装置。
（４）  前記通気開口が前記ハウジングの上面に設けられたことを特徴とする前記（１）〜（３）のいずれかに記載の薬剤揮散装置。
（５）  前記蓋部材が前記通気開口を開いた際に、その蓋部材が前記ファンからの気流を前記通気開口へと案内することを特徴とする前記（３）に記載の薬剤揮散装置。
【０００７】
前記（１）の構成によれば、スイッチの状態に応じてインジケータの通気開口の開閉度合いが蓋部材によって調節されるので、スイッチの状態に応じてその状態が変化したり消耗したりする特定の部品（薬剤保持体、電池等）の使用寿命や有効寿命を、インジケータによって正確に計って外部に表示することができる。
前記（２）の構成によれば、蓋部材がスイッチの動きに連動して通気開口を開閉するので、蓋部材を動かすためのアクチュエータ等を別途設ける必要がなく、構成を簡素化できる。
前記（３）の構成によれば、スイッチの状態に応じてインジケータの通気開口の開閉度合いが蓋部材によって調節されるので、スイッチの状態に応じて有効成分の残量が減っていく薬剤保持体の使用寿命や有効寿命を、インジケータによって正確に計って外部に表示することができる。なお、「薬剤保持体に気流を当てるファン」としては、ファンから薬剤保持体に向かう気流を生起させる押し出し式のものでもよいし、薬剤保持体からファンに向かう気流を生起させる吸い込み式のものでもよい。
前記（４）の構成によれば、特定の部品の使用寿命や有効寿命をインジケータによって正確に計る機能が向上する。例えば、計時手段として昇華性物質を用いた場合、昇華性物質から生じる気体の比重が空気の比重より重いため、ハウジング内が昇華性物質で飽和した気体で充満されるようになる。このとき、昇華性物質で飽和した気体が緩衝材として機能し、昇華性物質をとりまく環境を常にほぼ一定とすることができる。したがって、環境変化に伴う、昇華性物質の蒸散速度のばらつきを顕著に抑制できるので、特定の部品の使用寿命や有効寿命をインジケータによって正確に計る機能が向上する。
前記（５）の構成によれば、通気開口が開かれた際にはファンからの気流が蓋部材によってインジケータへと案内され、その気流が計時手段に当たる。これにより、通気開口が開かれた際の計時手段をとりまく環境を常にほぼ一定とすることができる。したがって、薬剤保持体の使用寿命や有効寿命を、インジケータによって正確に計る機能が向上する。
【０００８】
本発明において計時手段は、外気にさらされることで状態が変化するものであればよく、その形態は特に限定されない。例えば、昇華性物質の他に、経時的に縮小するようなゲル等も採用できる。また、減感剤の蒸散により顕色剤と色素が反応して担体が発色するような、計時を開始してから所定時間経過後に変色するもの（着色インジケータ）や、計時を開始してから所定時間経過後に担体に文字等が浮き出るものも採用できる。更に、気化性物質（香料、フィトンチッド、防錆剤、防カビ剤、防菌剤の中から適当なもの、たとえば色のあるもの、匂いのあるもの）などを選択使用できる。
【０００９】
昇華性物質としては、トリシクロ［３，３，１，１3,7］デカン（商品名アダマンタン：出光石油化学株式会社製）、シクロドデカン（商品名アイサワ−Ｄ：出光石油化学株式会社製）、パラジクロルベンゼン、シュウノウ、ナフタリン、イソプロピルトリオキサン（商品名サンサブリ：小川香料株式会社製）、テトラヒドロジシクロペンタジエン（商品名ＴＭＮ：出光石油化学株式会社製）等を例示できる。
【００１０】
薬剤保持体に保持させる有効成分としては、害虫防除剤、殺菌剤、芳香剤、消臭剤等を例示できる。
害虫防除成分として代表的なものを、以下に例示する。
・ｄｌ−３−アリル−２−メチル−４−オキソ−２−シクロペンテニル  ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル  ｄ−シス／トランス−クリサンテマート（商品名ピナミンフォルテ：住友化学工業株式会社製）
・ｄｌ−３−アリル−２−メチル−４−オキソ−２−シクロペンテニル  ｄ−トランス−クリサンテマート（一般名バイオアレスリン、商品名エスバイオール：ユクラフ社製）
・ｄ−３−アリル−２−メチル−４−オキソ−２−シクロペンテニル  ｄ−トランス−クリサンテマート（商品名エキスリン：住友化学工業株式会社製）
・（５−ベンジル−３−フリル）メチル  ｄ−シス／トランス−クリサンテマート（一般名レスメトリン：商品名クリスロンフォルテ：住友化学工業株式会社製）
・５−プロパギル−２−フリルメチル−ｄ−シス／トランス−クリサンテマート（一般名フラメトリン：商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・１−エチニル−２−メチル−２−ペンテニル  ｄｌ−シス／トランス−３−（２，２−ジメチルビニル）−２，２−ジメチル−１−シクロプロパンカルボキシラート（一般名エンペントリン、商品名ベーパースリン：住友化学工業株式会社製）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・１−エチニル−２−メチル−２−ペンテニル  ３−（２，２−ジクロロエテニル）−２，２−ジメチルシクロプロパンカルボキシラート等。
【００１１】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基又はハロゲン原子である化合物を用いることもできる。
この他にも、フィプロニール、Ｓ−１２９５、イミプロトリンなどの殺虫剤やメトプレン（イソプロピル（２Ｅ−２Ｅ）−１１−メトキシ−３，７，１１−トリメチル−２，４−トリメチルドデカ−２，４−ジエノエート）、ピリプロキシフェン、８２−［１−メチル−２−（フェノキシフェノキシ）エトキシ］ピリジン）などの昆虫幼若ホルモン、ジフルペンズロン（１−（４−クロロフェニル）−３−（２，６−ジフルオロベンゾイル）ウレア）、テフルベンズロン（１−（３，５−ジフルオロベンゾイル）ウレア）などの昆虫キチン形成阻害化合物などが挙げられる。
【００１２】
こうした中でも、常温で難揮散性のものが好ましく、さらに、プラレトリン、レスメトリン、バイオアレスリン、フラメトリン、テラレスリン、トランスフルスリンが特に好ましい。
このような害虫防除成分は単独で用いてもよく、組み合わせて用いてもよい。また、これらの類縁体も用いられる。
これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、難揮散性となり長時間にわたって害虫防除効果を得ることができる。
【００１３】
薬剤保持体に薬剤を保持させる際に、薬剤保持体に薬剤を容易に含浸させるための理由で液状薬剤を低粘度化する添加剤として、ミリスチン酸イソプロピル、パルミチン酸イソプロピル、ラウリル酸ヘキシルなどの脂肪酸エステルやイソプロピルアルコール、ポリエチレングリコール、脱臭ケロシンなどの溶剤を必要に応じて使用することができる。
また、薬剤保持体に薬剤を保持させる際に、その他の補助成分とともにこれを保持させることができ、例えば、蒸散促進用助剤として昇華性物質を添加すると揮散効果が高まってよい。害虫防除成分としてピレスロイド系化合物を使用する場合には、これに対して有効な既知の共力剤を混合することも好ましい。さらにＢＨＴやＢＨＡなどの酸化防止剤や紫外線吸収剤を添加すると光、熱、酸化などに対する安定性が高まる。
【００１４】
薬剤保持体は、形態、材質、サイズ等を任意に設定できるが、簡単な構造で、通気性の大きいものが好ましい。例えば、ハニカム形状、すのこ形状、蛇腹形状、網形状、スリット形状、格子形状又は開孔を設けた紙類等の構造のものを採用できる。各セルの形状も本発明の効果の面では問題にならない。上記した以外の形状として、例えば６角形蜂の巣形状でも、円形状、Ｓ字形状でもよい。
通気性ケース（枠体）中に、粒体、ブロック、粉砕物等を、通気性を阻害しないように収納した通気性担体も、薬剤保持体として使用しうる。
【００１５】
薬剤保持体を形成する材質は、有効成分を十分に保持できるものであれば特に限定されない。しかし、保持した有効成分を一時に揮散させるようなものより、要求される時間にわたって同じ量の有効成分を連続的に揮散させることができるような材質であることが好ましい。
例えば紙類（濾紙、パルプ、リンター、厚紙、ダンボール等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等が挙げられる。
【００１６】
また、薬剤保持体は、有効成分を含む薬剤を保持し、これらの一種又は二種以上を組み合わせて任意の形状にして使用するものであってもよい。
薬剤保持体に有効成分等を保持させるには、薬剤保持体に薬剤を滴下塗布、含浸塗布、スプレー塗布等の液状塗布方法、液状印刷、はけ塗り等の方法、或いは薬剤保持体へ貼りつけする方法等を用いることができる。更に、使用する組成物が液状のものでない場合、或いは溶剤を使用しない場合、混練込み、塗布、印刷等の方法を適用できる。
【００１７】
薬剤保持体に保持される有効成分量は、通常、当該薬剤保持体の飽和含浸量までとするが、薬剤保持体に別途補給用容器を吸液材を介して連結することにより、長期間にわたり連続的に容器内の液がなくなるまで使用可能な形態にすることもできる。
【００１８】
ファンとしては、ロータリーファン、シロッコファン、ピエゾファン等を採用できる。
薬剤揮散装置に電源を供給する手段としては、アルカリ電池、マンガン電池、水銀電池等を使用できる。太陽電池、カドニカ電池、蓄電池等も使用できる。また家庭用商用電源を用いてもよい。
【００１９】
【発明の実施の形態】
以下、図面に基づいて本発明の実施形態を詳細に説明する。
図１は、本発明の薬剤揮散装置の第１実施形態である害虫防除装置１０を示す斜視図である。害虫防除装置１０は、ファン１２を内蔵した筐体１１と、薬剤保持体２０とを有している。
薬剤保持体２０は、略四角形枠状の枠体２１と、枠体２１の内側に設けられたハニカム状の薬剤保持部２２とを有している。本実施形態では、薬剤保持体２０にインジケータ２５が一体的に設けられている。すなわち、枠体２１の一部２１ａが四角形枠から外周側に突出されて、インジケータ２５のハウジングとなっている。枠体２１及びハウジング２１ａは、透明樹脂等の透明部材からなっている。ハウジング２１ａ内には、昇華性物質からなる円盤状の計時手段２４が収納されている。透明なハウジング２１ａを透して外部から計時手段２４を目視できる。ハウジング２１ａの一方側（送風方向に見て上流側。図では下側）の面には、通気開口２３が設けられている。
【００２０】
筐体１１に内蔵されたファン１２は、複数の翼を有しており、同様に筐体１１に内蔵されたモータ（図示せず）とともに、いわゆる軸流送風機構を構成している。筐体１１の電源保持部１１ａにセットされた電源からモータに電源が供給される。ここでは電源保持部１１ａが単１電池収納型になっている。モータが駆動されると、押し出し式のファン１２による気流が生起し、筐体１１の後面（図では下面）及び側面に設けられた吸気口１１ｂから外気が吸引され、その外気が薬剤保持体２０に当てられる。
電源保持部として、複数種類の電池を収納可能なものを採用して、例えば、薬剤揮散装置１０を屋外で短時間使用する際には容量が小さく軽い電池をセットし、薬剤揮散装置１０を室内に固定して長時間使用する際には容量が大きい電池をセットする、などの使い分けができるようにすることもできる。
【００２１】
筐体１１には、薬剤保持体２０を筐体１１内にセットするための取付開口１３が設けられている。取付開口１３を介して薬剤保持体２０を筐体１１内にセットすると、薬剤保持部２２がファン１２の送風方向下流側に隣接配置される。また、筐体１１内に備えられた長方形板状の蓋部材１５によって、インジケータ２５の通気開口２３が塞がれる。蓋部材１５の通気開口２３を塞ぐ部分（ここでは蓋部材１５の中央部分）は、通気開口２３を確実に塞げるような高い弾性を有する弾性部１５ａとされている。
【００２２】
筐体１１内に薬剤保持体２０をセットした後、複数のスリット状の揮散口１４ａが設けられた前面板１４によって取付開口１３を閉じることで、害虫防除装置１０の使用準備が完了する。
筐体１１には、ファン１２を回転・停止させるとともに蓋部材１５を開閉移動させるスイッチ１６が設けられている。このスイッチ１６は、図１に示す状態においてファン１２を停止（オフ）させ、蓋部材１５によってインジケータ２５の通気開口２３を塞ぐものである。
図中矢印Ａで示すように、スイッチ１６を筐体１１の前面に沿った方向、かつ蓋部材１５に向かう方向へスライドさせることで、ファン１２を回転（オン）させるとともに、蓋部材１５を開くことができる。
【００２３】
図２は、蓋部材１５の動きを説明するために、薬剤保持体２０を筐体１１内から取り外した状態でスイッチ１６をオン状態にした様子を示す図である。図２に示すように、蓋部材１５はその一辺を回転中心として回転移動され、傾斜した状態となっている。また、ファン１２からの気流の一部をインジケータ２５の通気開口２３へと向かわせるような態様で、蓋部材１５は傾斜している。
【００２４】
図３に基づいて、蓋部材１５がスイッチ１６の動きに連動する様子を説明する。
スイッチ１６には、蓋部材１５に当接する箇所に傾斜面１６ａが形成されている。長方形板状の蓋部材１５には、スイッチ１６の傾斜面が当接する突出片１５ｂが設けられている。また、蓋部材１５の突出片１５が設けられた側の反対側には、回転軸となる軸部１５ｃが設けられている。軸部１５ｃには、蓋部材１５を閉方向に常時付勢する付勢手段としてのコイルばね１７が設けられている。
【００２５】
図３（Ａ）に示すように、スイッチ１６がオフの状態では、蓋部材１５及びその弾性部１５ａが、インジケータ２５（図２参照）におけるハウジング２１ａの通気開口２３が設けられた面に対して平行となり、弾性部１５ａによって通気開口２３が塞がれる。このとき、蓋部材１５の突出片１５ｂには、スイッチ１６の傾斜面１６ａの端部が当接している。
スイッチ１６を図中矢印Ａ方向にスライドしていくと、スイッチ１６の傾斜面１６ａが突出片１５ｂの上に乗り上げていき、それに伴って突出片１５ｂ及び蓋部材１５が押し下げられていき、ついには図３（Ｂ）に示すようなスイッチ１６がオンの状態となる。この時、蓋部材１５は図２に示したような傾斜状態となる。
【００２６】
図２に示すように、スイッチ１６がオンされて薬剤保持体２０から害虫防除成分が揮散される時には、通気開口２３が開かれて、インジケータ２５の計時手段２４が外気と反応する。この時ファン１２からの気流の一部が、蓋部材１５によって案内され通気開口２３を通過して計時手段２４に当たる。このように計時手段２４にほぼ一定した風を当てることで、通気開口２３が開かれた際の計時手段２４をとりまく環境を常にほぼ一定にできる。
そして、スイッチ１６がオフされると、図１に示したように蓋部材１５がインジケータ２５の通気開口２３を塞ぐ。この時、計時手段２４の状態の変化（体積減少等）が停止される。
【００２７】
以上説明したような害虫防除装置１０によれば、スイッチ１６のスライドに連動してインジケータ２５の通気開口２３が蓋部材１５によって開閉される。したがって、害虫防除装置１０が断続的に使用されても、薬剤保持体２０の使用寿命や有効寿命を、インジケータ２５によって正確に計って外部に表示することができる。
また、薬剤保持体２０にインジケータ２５が一体的に設けられているので、薬剤保持体２０を交換することでインジケータ２５の交換もでき、使い勝手が良い。
【００２８】
図４は、本発明の第２実施形態である害虫防除装置３０を示す斜視図である。なお、以下に説明する実施形態において、既に第１実施形態で説明した部材等と同様な構成・作用を有する部材等については、図中に同一符号又は相当符号を付すことにより説明を簡略化あるいは省略する。
図４に示すように、害虫防除装置３０は、ファン１２を内蔵した筐体１１と、薬剤保持体４０とを有している。筐体１１内には、円盤状の回転蓋部材３５が設けられている。回転蓋部材３５には通気孔３５ａが設けられている。ここでは、扇形状の一対の通気孔３５ａが採用されている。回転蓋部材３５は、スイッチ３６に連設されたクランク棒３６ａの先端に接続されており、スイッチ３６の動きに連動して回転する。
【００２９】
薬剤保持体４０の枠体４１の一部４１ａは、四角形枠から外周側に突出されて、インジケータ４５のハウジングとなっている。枠体４１及びハウジング４１ａは透明部材からなっており、透明なハウジング４１ａを透してそのハウジング４１ａ内に収納された計時手段２４を外部から目視できる。そして、ハウジング４１ａの一方側（送風方向に見て上流側。図では下側）の面には、回転蓋部材３５の通気孔３５ａの形状に対応した形状の通気開口４３が設けられている。
【００３０】
図５は、薬剤保持体４０の下面図である。ハウジング４１ａには、回転蓋部材３５によって開閉可能な通気開口４３が設けられている。すなわち、扇形状の一対の通気開口４３が設けられている。この通気開口４３を介して、計時手段２４が外気にさらされる。
なお、薬剤保持体４０は、ネット状の薬剤保持体でもよく、薬剤保持部２２がネットでもよい。
【００３１】
図６に基づいて本実施形態の作用を説明する。図６（Ａ）に、スイッチをオフ状態にしたときの回転蓋部材３５とインジケータ４５の様子を示す。この時、インジケータ４５の通気開口４３は蓋部材３５によって塞がれ、計時手段２４の状態の変化（体積減少等）が停止される。
スイッチがスライドされていくと、クランクピン３６ａによって回転蓋部材３５が回転されていき、ついには図６（Ｂ）に示すようなスイッチがオンの状態となる。この時、インジケータ４５の通気開口４３と蓋部材３５の通気孔３５ａとが送風方向に見て重なる。すなわち、インジケータ４５の通気開口４３が開かれて、計時手段２４が外気にさらされる。
【００３２】
以上説明したような害虫防除装置３０によれば、スイッチ３６のスライドに連動してインジケータ４５の通気開口４３が回転蓋部材３５によって開閉される。したがって、害虫防除装置３０が断続的に使用されても、薬剤保持体４０の使用寿命や有効寿命を、インジケータ４５によって正確に計って外部に表示することができる。
【００３３】
図７は、本発明の第３実施形態である害虫防除装置５０を示す斜視図である。図７に示すように、害虫防除装置５０は、ファン１２を内蔵した筐体１１と、薬剤保持体２０とを有している。筐体１１内には、長方形板状の蓋部材５５が設けられている。蓋部材５５には弾性部５５ａが設けられている。蓋部材５５は、スイッチ５６の動きに連動して直線的に移動して、薬剤保持体２０のインジケータ２５における通気開口２３を開閉する。すなわち、蓋部材５５はスイッチ５６に接続されており、スイッチ５６のスライド方向に対して平行に直線移動することで、通気開口２３を開閉する。
【００３４】
以上説明したような害虫防除装置５０によれば、スイッチ５６のスライドに連動してインジケータ２５の通気開口２３が蓋部材５５によって開閉される。したがって、害虫防除装置５０が断続的に使用されても、薬剤保持体２０の使用寿命や有効寿命を、インジケータ２５によって正確に計って外部に表示することができる。
【００３５】
図８は、本発明の第４実施形態である害虫防除装置６０を示す斜視図である。この害虫防除装置６０は、上記した実施形態と同様なファンを筐体６１内に内蔵している。本実施形態では、筐体６１の側面に、薬剤保持体７０をセットするための取付開口６３が設けられており、筐体６１の前面６４には取付開口が設けられていない。そして、筐体６１の前面６４付近に、長方形板状の蓋部材６５が設けられている。本実施形態では、蓋部材６５の下面に弾性部が設けられている。蓋部材６５は、スイッチ６６に接続されている。
【００３６】
薬剤保持体７０の枠体７１の一部７１ａは、四角形枠から外周側に突出されて、インジケータ７５のハウジングとなっている。枠体７１及びハウジング７１ａは透明部材からなっており、透明なハウジング７１ａを透してそのハウジング７１ａ内に収納された計時手段２４を外部から目視できる。本実施形態では、ハウジング７１ａの上面に通気開口７３が設けられている。ここでいう「上面」とは、害虫防除装置６０の使用状態における、装置６０内にセットされた薬剤保持体７０のハウジング７１ａの上側の面を意味する。本実施形態では、装置６０内にセットされた状態における薬剤保持体７０のハウジング７１ａの、筐体６１の前面６４側の面が、ハウジング７１ａの上面となっている。
例えば、害虫防除装置６０が斜めの状態（前面６４が装置を設置する面に対して傾いた状態）で使用される場合、その斜めの状態における装置内にセットされた薬剤保持体のハウジングの上側の面に、通気開口７３を設けておくことができる。
【００３７】
本実施形態における通気開口７３は、通気開口７３より小さい複数の小孔７３ａを設けたフィルム（カバー部材）によって塞がれている。フィルムとして、ポリプロピレンやポリエチレン等の樹脂からなるものを採用できる。
しかし、カバー部材の形態は、これに限定されず、例えば網状のものを用いることも考えられる。また、微多孔を有する適宜なカバー部材を用いてもよい。さらに、ガス透過性の樹脂フィルムを用いることも考えられる。
なお、薬剤保持体７０は、通気性ケースに小さなブロック状の保持体が通気性を損なわないように収納されたものでもよい。
【００３８】
本実施形態におけるインジケータ７５のハウジング７１ａは、その収納空間が、昇華性物質からなる計時手段２４の厚さの２倍以上の深さを有している。ハウジング７１ａの収納空間は、計時手段２４の体積の２倍以上の容積を有していることが好ましい。
例えば、円盤状の計時手段２４として、イソプロピルトリオキサンからなる直径１１ｍｍ、厚さ３．５ｍｍのものを用いる場合、ハウジング７１ａの収納空間の深さ（上下方向寸法）を、７ｍｍ以上とすることができ、１０ｍｍ程度（計時手段の厚さの２．５〜３倍程度）にするのが特に好ましい。
ハウジング７１ａの深さの上限は、インジケータ７５の不要な大型化を招くことを回避できるように、適宜決定される。例えば、計時手段２４の厚さの１０倍以下とすることができる。
【００３９】
図８に示す状態において、スイッチ６６はファンをオフさせ、蓋部材６５はインジケータ７５の通気開口７３を塞ぐ。図中矢印Ｂで示すように、スイッチ６６をスライドさせることで、ファンをオンさせることができるとともに、スイッチ６６に接続された蓋部材６５を開くことができる。この時、筐体６１の前面６４側から、計時手段２４を目視できる。蓋部材６５は、スイッチ６６のスライド方向に対して平行に直線移動することで、通気開口７３を開閉する。
【００４０】
以上説明したような害虫防除装置６０によれば、昇華性物質などから生じる気体の比重が空気の比重より重いため、通気開口７３が開状態のときも閉状態のときも、ハウジング７１ａ内が昇華性物質などで飽和した気体で充満される。こうして、計時手段２４をとりまく環境をほぼ一定とすることができ、環境変化に伴う昇華性物質などの蒸散速度のばらつきを顕著に抑制できるので、薬剤保持体７０の使用寿命や有効寿命を、インジケータ７５によって正確に計って外部に表示することができる。
【００４１】
なお、本発明は前述した実施形態に限定されるものではなく、適宜な変形、改良等が可能である。
例えば、薬剤保持体を出し入れする開口を開閉する部材（前面板１４など）の開閉（薬剤保持体の交換）に併せて、ファンのオン・オフと蓋部材の開閉とを行う構成とすることもでき、こうすれば薬剤揮散装置の故障等を減らすことができる。
例えば、ファンを有しないタイプの薬剤揮散装置にも本発明を適用できる。
【００４２】
【発明の効果】
以上説明したように、本発明によれば、スイッチの状態に応じてインジケータの通気開口の開閉度合いが蓋部材によって調節されるので、スイッチの状態に応じてその状態が変化したり消耗したりする特定の部品の使用寿命や有効寿命を、インジケータによって正確に計って外部に表示することができる。
【図面の簡単な説明】
【図１】本発明の第１実施形態を示す概略斜視図である。
【図２】第１実施形態の作用を説明する図である。
【図３】第１実施形態の作用を説明する図である。
【図４】本発明の第２実施形態を示す概略斜視図である。
【図５】第２実施形態における薬剤保持体の平面図である。
【図６】第２実施形態の作用を説明する図である。
【図７】本発明の第３実施形態を示す概略斜視図である。
【図８】本発明の第４実施形態を示す概略斜視図である。
【符号の説明】
１０，３０，５０，６０  害虫防除装置（薬剤揮散装置）
１１，６１              筐体
１２                    ファン（送風手段）
１５，５５，６５        蓋部材
１６，３６，５６，６６  スイッチ
２０，４０，７０        薬剤保持体
２１ａ，４１ａ，７１ａ  ハウジング
２２                    薬剤保持部
２３，４３，７３        通気開口
２４                    計時手段
２５，４５，７５        インジケータ
３５                    回転蓋部材
【図１】
0003734156.tif 000002
【図２】
0003734156.tif 000003
【図３】
0003734156.tif 000004
【図４】
0003734156.tif 000005
【図５】
0003734156.tif 000006
【図６】
0003734156.tif 000007
【図７】
0003734156.tif 000008
【図８】
0003734156.tif 000009